(57)【要約】      （修正有）【課題】動作状態を視認しやすくするために発光するマイクロホンにおいて、使用環境下の照明度合いに応じて任意の発光色を容易に選択できるマイクロホンを提供する。【解決手段】マイクロホン１００は、マイクロホンユニット３１１の動作状態に応じて発光する発光部材（ＬＥＤ３２１）を備える回路基板３０と、中空管状部材（マイクロホンケース１０）の内部に回路基板を固定する固定部材（固定部４０）と、光を透過する弾性部材からなり、固定部材を覆うカバー部材（固定部カバー２０）と、を有する。固定部材には、孔４１が形成されていて、発光部材からの光は孔を通じてカバー部材に至るように構成されていて、孔とカバー部材との間には、調光部材（調光部品）を備える。【選択図】図２
2016201583.tif 000002
【特許請求の範囲】
【請求項１】
マイクロホンユニットの動作状態に応じて発光する発光部材を備える回路基板と、
中空管状部材の内部に前記回路基板を固定する固定部材と、
光を透過する弾性部材からなり、前記固定部材を覆うカバー部材と、を有し、
前記固定部材には、孔が形成されていて、
前記発光部材からの光は前記孔を通じて前記カバー部材に至るように構成されていて、
前記孔と前記カバー部材との間には、調光部材を備える、
ことを特徴とするマイクロホン。
【請求項２】
前記カバー部材は、半透明のシリコンゴムからなる、
請求項１記載のマイクロホン。
【請求項３】
前記調光部材は、前記固定部材の面を覆うリング状の部材である、
請求項１または２記載のマイクロホン。
【請求項４】
前記固定部材は、前記回路基板が固定される皿状部と、前記皿状部における前記回路基板の固定側の反対方向に形成されている管状部と、を有してなり、
前記管状部には可撓性支持体が固定されている、
請求項１乃至３のいずれかに記載のマイクロホン。
【請求項５】
前記調光部材は、半円形の２つの部品を組み合わせたリング状の部材である、
請求項１乃至３のいずれかに記載のマイクロホン。
【請求項６】
前記調光部材は、リング状の部材が半径方向の線に沿って切断されている、
請求項１乃至３のいずれかに記載のマイクロホン。
【請求項７】
前記回路基板は、少なくとも前記発光部材が取り付けられる発光部基板を含み、前記発光部基板は前記発光部材が前記固定部材の孔に対向するように配置されている、
請求項１乃至３のいずれかに記載のマイクロホン。
【発明の詳細な説明】
【技術分野】
【０００１】
本発明は、マイクロホンに関するものである。
【背景技術】
【０００２】
多人数での会議の進行を円滑にするために、会議出席者の発言を収音するマイクロホンの動作を個別に制御する会議装置が知られている。会議装置は、会議出席者がそれぞれ使用できるように設置される複数のマイクロホンと、各マイクロホンの収音オン・オフ等を制御する制御装置と、を有してなる。
【０００３】
上に示した会議装置に用いられるマイクロホンは、それぞれのマイクロホンが収音可能状態であるか否かを視認できるように、マイクロホンの動作状態を表示する発光表示機能を備えるものがある（例えば、特許文献１を参照）。特許文献１に記載されている会議装置のマイクロホンのような発光表示機能には、電球や発光ダイオード（ＬＥＤ）などが用いられる。
【先行技術文献】
【特許文献】
【０００４】
【特許文献１】特開平８−２８８９９９号公報
【発明の概要】
【発明が解決しようとする課題】
【０００５】
マイクロホンの発光表示は視認しやすいものがよい。発光表示の視認性は、マイクロホンの使用環境によって左右される。会議室の明るさや色調は様々であるから、マイクロホンの使用環境下において最適な発光表示を選択できることが望ましい。発光表示をＬＥＤによって行う場合、このＬＥＤの駆動電流を増やすことで光量を増して明るくすることができる。しかし、ＬＥＤの駆動電流を増やすと消費電力を増やすことになり、エネルギー効率が下がる。
【０００６】
また、ＬＥＤからの光の色調を変化させることで発光表示の視認性を高めることもできる。そのためには、ＬＥＤからの光の色調を変化させる部品を取り付ければよい。しかし、このような部品は、マイクロホンの製造時において取り付けられるものであるから、マイクロホンを使用環境に持ち込んでから任意に取り替えることは困難である。すなわち、マイクロホンの使用環境において、発光表示の色調を調整して最適な視認性を得るようにすることは困難である。したがって、従来のマイクロホンは、予め設計された光の拡散度合いと色調の発光表示を有するマイクロホンを複数用意しておくしかなかった。
【０００７】
そこで本発明は、発光部からの光を調整する取り替え可能な調光部品を備え、使用環境下において最適な発光状態にできるマイクロホンを提供することを目的とする。
【課題を解決するための手段】
【０００８】
本発明は、マイクロホンに関するものであって、マイクロホンユニットの動作状態に応じて発光する発光部材を備える回路基板と、中空管状部材の内部に前記回路基板を固定する固定部材と、光を透過する弾性部材からなり、前記固定部材を覆うカバー部材と、を有し、前記固定部材には、孔が形成されていて、前記発光部材からの光は前記孔を通じて前記カバー部材に至るように構成されていて、前記孔と前記カバー部材との間には、調光部材を備える、ことを最も主な特徴とする。
【発明の効果】
【０００９】
本発明によれば、使用環境下において最適な発光状態にできる。
【図面の簡単な説明】
【００１０】
【図１】本発明に係るマイクロホンの例の全体像を示す平面図である。
【図２】上記マイクロホンが備えるマイクロホンユニット部分を拡大した、（ａ）拡大図、（b）拡大縦断面図である。
【図３】上記マイクロホンが備える回路基板の例を示す（ａ）平面図、（ｂ）底面図、（ｃ）側面図である。
【図４】上記マイクロホンの特徴部分を拡大した拡大断面図である。
【図５】上記マイクロホンに用いられるカラーフィルターの例を示す平面図である。
【図６】上記マイクロホンに上記カラーフィルターを取り付ける様子を示す拡大縦断面図である。
【図７】上記マイクロホンに用いられるカラーフィルターの別の例を示す平面図である。
【発明を実施するための形態】
【００１１】
以下、本発明に係るマイクロホンの実施形態であるグースネックマイクロホン１について、図面を参照しながら説明する。グースネックマイクロホン１は、マイクロホン１００と、マイクロホン端子を含むマイクロホン固定部３００と、マイクブーム２００と、を有してなる。マイクブーム２００は長尺の部材であって、長手方向の一方の端部には、マイクロホン１００が固定され、他方の端部には、マイクロホン固定部３００が固定されている。
【００１２】
また、マイクブーム２００は、可撓性支持体である上部フレキシブルパイプ２０１および下部フレキシブルパイプ２０３と、これらをつなぎ合わせる中間パイプ２０２と、を有してなる。上部フレキシブルパイプ２０１の先端にはマイクロホン１００が固定されていて、後端には中間パイプ２０２の先端側が固定されている。また、下部フレキシブルパイプ２０３の後端にはマイクロホン固定部３００が固定されていて、前端には中間パイプ２０２の後端側が固定されている。
【００１３】
次に、本願発明の特徴部分を備えるマイクロホン１００について説明する。図２は、図１に示す矩形領域Ａの部分を拡大した図である。図２（ａ）はマイクロホン１００の外観を示し、図２（ｂ）はマイクロホン１００の内部構造を示している。図２に示すように、マイクロホン１００は、大きく分けるとマイクロホンケース１０と、固定部カバー２０と、を有してなる。
【００１４】
マイクロホンケース１０は、中空管状部材であって、その外形は例えば、円筒状である。マイクロホンケース１０の長手方向の端部のうちの一方（図２紙面における左側）の端部と、マイクロホンケース１０の壁面には、音孔１１が形成されている。マイクロホンケース１０の長手方向の端部に形成されている音孔１１は、音源がある方向に向けられる収音口である。壁面に形成されている音孔１１は、壁面の周方向において一定の間隔を空けて複数形成されている。壁面に形成されている音孔１１は、音源とは異なる方向から到来する周囲音が後述するマイクロホンユニット３１１の振動板に到来したときに、これを打ち消すように作用する。すなわち、マイクロホン１００は、いわゆる単一指向性マイクロホンである。
【００１５】
マイクロホンケース１０の内部には、回路基板３０が固定されている。回路基板３０は、固定部材である固定部４０を介してマイクロホンケース１０に固定されている。回路基板３０は、２つの基板が結合されて形成されている。一つは、外形が矩形であって長手方向の一方の端部にマイクロホンユニット３１１を有するマイクロホン基板３１である。もう一つは、マイクロホン基板３１の他方の端部に電気的に接続され固定される発光部基板３２である。
【００１６】
ここで、回路基板３０の詳細について説明する。図３（ａ）に示すように、回路基板３０の平面視の形状は、ほぼ矩形である。マイクロホン基板３１の端部には、マイクロホンユニット３１１が固定されている。マイクロホンユニット３１１は、例えば、コンデンサマイクロホンユニットであって、振動板の振動方向がマイクロホン基板３１の長手方向に向いている。マイクロホン基板３１の長手方向の長さがマイクロホンケース１０に収納できる長さになっていて、短手方向の長さは、マイクロホンケース１０の内径とほぼ同じになっている。また、マイクロホン基板３１には、マイクロホンユニット３１１の固定端の反対側の端部に発光部基板３２が固定されている。
【００１７】
図３（ｂ）は、図３（ａ）における回路基板３０を矢印Ｂの方向からみた場合の底面図である。図３（ｂ）に示すように、発光部基板３２の外形は円形であって、発光部材であるＬＥＤ３２１と、これを発光させる駆動回路と、を備えている（取り付けされている）。ＬＥＤ３２１は、当該マイクロホン１００が動作中に点灯するように制御される。ＬＥＤ３２１は、発光部基板３２の円周方向において約９０度間隔で複数配置されている。なお、ＬＥＤ３２１の配置間隔はこの例に限るものではなく、６０度間隔で配置されてもよいし、１２０度間隔で配置されてもよい。ＬＥＤ３２１は、発光部基板３２におけるマイクロホン基板３１へ固定面とは反対側の面から光を出射するように固定されている。
【００１８】
図３（ｃ）に示すように、回路基板３０の側面視の形状は、横に倒したＴ字状になっていて、円形の発光部基板３２の直径に相当する位置にマイクロホン基板３１の短辺が固定されている。具体的には、発光部基板３２の上にマイクロホン基板３１が起立した状態で取り付けられていて、マイクロホン基板３１の短辺と発光部基板３２が固定されて電気的に接続されている。
【００１９】
図２に戻る。発光部基板３２は、固定部４０に固定されている。固定部４０は、皿状部４２と管状部４３とを有してなる。皿状部４２は、発光部基板３２の外形に合うように、中心部から外周端部に向かう平面部分と、平面部分の外周端部を管状部４３とは反対方向に立ち上げた壁部分と、を有してなる。皿状部４２の平面部分には、孔４１が形成されている。孔４１は、ＬＥＤ３２１に対向する位置において形成されている。発光部基板３２の外周は、皿状部４２の壁部分の内壁に嵌合している。
【００２０】
管状部４３は、発光部基板３２の固定側とは反対方向に形成されていて、マイクブーム２００の一部である上部フレキシブルパイプ２０１が挿入されようになっている。上部フレキシブルパイプ２０１を挿入した状態で管状部４３の外周面をかしめると、固定部４０は上部フレキシブルパイプ２０１に固定される。
【００２１】
固定部４０と上部フレキシブルパイプ２０１の一部は、固定部カバー２０によって覆われて保護される。固定部カバー２０は、弾性部材からなるカバー部材であって、固定部４０とマイクロホンケース１０に密着する。固定部カバー２０は、例えば、乳白色または半透明の光透過性シリコンゴムであって、皿状部４２に形成されている孔４１を覆い、ＬＥＤ３２１からの光を外部に向けて拡散する光拡散部品である。
【００２２】
次に、マイクロホン１００の特徴部分についてさらに詳細に説明する。図４に示す部分拡大断面図は、マイクロホン１００と上部フレキシブルパイプ２０１との固定部分を拡大して示している。図４に示すように、固定部４０の皿状部４２の壁部分の外側は、マイクロホンケース１０の内壁に嵌合している。これによって、回路基板３０はマイクロホンケース１０の内部に固定される。なお、固定部４０のマイクロホンケース１０への固定は、固定部４０の皿状部４２の外周壁面の外側と、マイクロホンケース１０の端部の内周面にネジを切り、固定部４０をマイクロホンケース１０に螺入させればよい。
【００２３】
発光部基板３２は、孔４１にＬＥＤ３２１が相対するように位置が調整されて固定部４０に固定されている。ＬＥＤ３２１から出射された光は、孔４１を通過して固定部カバー２０に至る。ＬＥＤ３２１は、マイクロホン１００が動作状態にあるとき点灯し、動作状態でないとき点灯しない。すなわち、ＬＥＤ３２１の点灯によって固定部カバー２０が光れば、マイクロホン１００が動作状態にあることを容易に視認することができる。
【００２４】
固定部４０の孔４１の外側と固定部カバー２０との間には、調光部品５０が取り付けられている。図５に示すように、調光部材である調光部品５０は、半円形の２つの部品を組み合わせたリング状の部材である。調光部品５０は、光を拡散させる作用を有するカラーフィルターである。調光部品５０は、不燃性のポリカーボネートに色素を練り込んで形成された素材からなる。ＬＥＤ３２１が発した光は、調光部品５０によって、所定の色に変換されてから固定部カバー２０の内部に拡散される。固定部カバー２０は光を透過し光を拡散させる部品であるから、ＬＥＤ３２１からの光によって固定部カバー２０が全体的に発光した状態になる。
【００２５】
すなわち、マイクロホンユニット３１１が動作をしてＬＥＤ３２１が点灯すると、外部からマイクロホン１００を見ると、固定部カバー２０が所定の色で発光しているように見える。これによって、当該マイクロホン１００が動作中、すなわち、当該マイクロホン１００の仕様者が発言中であることを容易に視認することができる。
【００２６】
また、回路基板３０のうち、少なくとも発光部基板３２は調光部品５０および固定部カバー２０の近傍に配置することができ、ＬＥＤ３２１を調光部品５０および固定部カバー２０に近接させることができる。これにより、固定部カバー２０よりの発光量が低下を防ぐことができ、また、ＬＥＤ３２１からの光を導光部材などで引き回して調光部品５０や固定部カバー２０に導くなどの構成が不要となる。
【００２７】
次に、調光部品５０の取り付け方法について説明する。図６に示すように、固定部カバー２０は、弾力性のある素材で形成されているので、固定部４０と固定部カバー２０の間を広げるように変形させて、孔４１と固定部カバー２０との隙間に調光部品５０の一方を挿入し平面上に取り付ける。同様にして調光部品５０の他方を上記隙間に挿入し、固定部カバー２０を弾性により復帰させる。これによって、孔４１と固定部カバー２０との間に、容易に調光部品５０を取り付けることができる。
【００２８】
すでに説明したとおり、調光部品５０はＬＥＤ３２１から出射された光の色を変化させて固定部カバー２０内に拡散させる部品である。したがって、調光部品５０は発光部基板３２の孔４１と固定部カバー２０に密着できるものが望ましい。調光部品５０はフィルム状の部材なので、発光部基板３２側にも固定部カバー２０にも密着できる。なお、調光部品５０の密着は、固定部カバー２０の弾性力によってもたらされる。
【００２９】
色調の異なる調光部品５０を複数用意し、任意の調光部品５０を選択して、上に示したようにマイクロホン１００に取り付ければ、任意の色で固定部カバー２０を発光させることができる。グースネックマイクロホン１の設置場所における明るさや照明度合いによって、発光している固定部カバー２０が視認しやすくなるように、任意の色を選択することができる。ＬＥＤ３２１の発光色を白色とし、任意の色調の調光部品５０を用いることで、幅広い色相の発光表示をすることができる。
【００３０】
調光部品５０の別の例について説明する。図７に示す調光部品５０ａのようにリング状であって、一部を半径方向の線にそって切断し、この切断部分を広げることができるように構成してもよい。図７に示す調光部品５０ａを取り付ける場合は、固定部カバー２０を変形させて、上に示したような隙間を形成し、その隙間に調光部品５０ａの切れ込みの一端を挟み込む。その後、隙間に調光部品５０ａの内側を当てながら徐々に、固定部カバー２０の全周に渡って挟み込むようにすればよい。
【符号の説明】
【００３１】
１０    ：マイクロホンケース
２０    ：固定部カバー
３０    ：回路基板
３１    ：マイクロホン基板
３２    ：発光部基板
４０    ：固定部
４１    ：孔
４２    ：皿状部
４３    ：管状部
５０    ：調光部品
１００  ：マイクロホン
２０１  ：上部フレキシブルパイプ
３１１  ：マイクロホンユニット
３２１  ：ＬＥＤ
【図１】
2016201583.tif 000003
【図２】
2016201583.tif 000004
【図３】
2016201583.tif 000005
【図４】
2016201583.tif 000006
【図５】
2016201583.tif 000007
【図６】
2016201583.tif 000008
【図７】
2016201583.tif 000009